(57)【要約】【課題】仕切りとしての機能や目隠しをする機能を有すると共に、構造物の形状等の変更の自由度や、植物を配置する位置等の自由度の幅を広げ、また、樹木を容易に交換することができることにより景観の向上を図ることができる植栽仕切り構造物を提供する。【解決手段】樹木２２，２４と、樹木２２，２４が植栽された植栽マット２６，２８とが一体的に設けられた植栽マット体３０，３２と、前記植栽マット体３０，３２を嵌合する凹部３４ｃ，３６ｃを有する複数の箱状部材３４，３６と、地面等の設置面２１から立設するよう固定され、前記箱状部材３４，３６を前記設置面２１から所望の高さ位置に支持する支持部材３８とを備え、前記箱状部材３４，３６は、前記支持部材３８を介して他の箱状部材３４，３６と並んで支持された。【選択図】図１
2012065635.tif 000002
【特許請求の範囲】
【請求項１】
樹木と、該樹木が植栽された植栽マットとが一体的に設けられた植栽マット体と、
前記植栽マット体を嵌合する凹部を有する複数の箱状部材と、
地面等の設置面から立設するよう固定され、前記箱状部材を前記設置面から所望の高さ位置に支持する支持部材とを備え、
前記箱状部材は、前記支持部材を介して他の箱状部材と並んで支持される
ことを特徴とする植栽仕切り構造物。
【請求項２】
前記複数の箱状部材のいくつかは、前記設置面に接触した状態で配置されていることを特徴とする請求項１に記載の植栽仕切り構造物。
【請求項３】
前記複数の箱状部材のいくつかは、前記設置面から鉛直方向に複数並んで配置されていることを特徴とする請求項１又は２に記載の植栽仕切り構造物。
【発明の詳細な説明】
【技術分野】
【０００１】
本発明は、塀や垣根等の仕切り及び目隠しに植栽マットを用いる植栽仕切り構造物に関するものである。
【背景技術】
【０００２】
従来から、建築物の断熱性や景観の向上、ＣＯ２の削減や大気洗浄等を目的として、建築物の外側に位置する屋上や壁面等に、植物を生育させる緑化が行われてきた。
【０００３】
そして、空間の仕切り区分を明確なものとするためや、目隠しのために用いられる、塀や垣根等の仕切り構造物を緑化する方法としては、塀の両面に低木・草花・ツタ植物やその他野菜類等を植栽することができる植栽塀があった（例えば、特許文献１参照）。
【０００４】
図１２に示すように、上記従来の植栽塀１は、１５％から２０％の勾配を有する二等辺三角形状をアングル材で形成し、その二等辺三角形状を横方向（図中矢印方向）に並べて接続し、その横方向に長さを有する枠状で、断面が逆Ｖ字形の骨組み２が、塀を設置する位置に配置されて固定されていた。
【０００５】
そして、骨組み２の枠状の表裏両側を、格子状の枠に取付けた金網４を並べて覆い、その金網４の枠を不図示のＵ型ボルト等で骨組み２に固定するようになっていた。この格子状の枠に取付けた金網４の表裏両外面には、植栽箱付植栽マット体６がそれぞれ高さ方向の異なる位置に複数配置されていた。
【０００６】
この植栽箱付植栽マット体６は、骨組み２の横方向に、骨組み２と同じ長さを有する直方体となっており、その側面が金網４の外面に接触して、骨組み２に固定されるようになっていた。そして、植栽箱付植栽マット体６は、内側に土等が充填されてその上面６ａ側に、図示してない低木や草花やその他野菜等を植栽できるようになっていた。
【０００７】
このため、上記従来の植栽塀１は、植栽箱付植栽マット体６の上面６ａ側に低木や草花やその他野菜等を植栽できるため、塀の断熱性や景観の向上、ＣＯ２の削減や大気洗浄等を図ることができるようになっていた。
【先行技術文献】
【特許文献】
【０００８】
【特許文献１】特開２００８−１５４５０７号公報
【発明の概要】
【発明が解決しようとする課題】
【０００９】
しかしながら、前記従来の植栽塀１においては、空間を仕切る機能を発揮するのは骨組み２であり、植栽箱付植栽マット体６は何ら仕切りとしての機能を発揮するものではなかった。また、目隠しをする機能を発揮するのは植栽箱付植栽マット体６であり、骨組み２は金網４を通って植栽塀１の向こう側が見えるので、目隠しをする機能を発揮するものではなかった。
【００１０】
そして、前記従来の植栽塀１においては、骨組み２の二等辺三角形状の外面に植栽箱付植栽マット体６が固定されているため、植栽箱付植栽マット体６が骨組み２の二等辺三角形状の底面より外側にはみ出し、塀により仕切られる区分領域が明確なものではなくなり、空間を仕切って区分領域を明確なものとする仕切りとしての本来の機能を十分に発揮することができないという問題があった。
【００１１】
また、骨組み２は、二等辺三角形状を横方向に接続して形成された長さを有する枠状に形成されているため、例えば仕切り対象が途中で折れ曲がっている場合には、骨組み２同士を折れ曲がっている仕切り対象に合わせて互いに繋げるのは、その構造上困難であるというように、構造物としての形状等を変更するための自由度の幅が非常に狭いものであるという問題があった。
【００１２】
さらに、植栽箱付植栽マット体６は、骨組み２の横方向に、骨組み２と同じ長さを有するものであるため、その上面６ａの高さ位置も骨組み２と同じ長さにおいて一定となる。このため、植栽箱付植栽マット体６に植栽される植物は、設置される上面６ａの高さ位置が一定となるため、その景観は変化に乏しく、植物の配置に関して自由度の幅が非常に狭いものであるという問題があった。
【００１３】
そこで本発明は、上記問題点に鑑みて、仕切りとしての機能や目隠しをする機能を有すると共に、構造物の形状等の変更の自由度や、植物を配置する位置等の自由度の幅を広げ、また、樹木を容易に交換することができることにより景観の向上を図ることができる植栽仕切り構造物を提供することを課題とするものである。
【課題を解決するための手段】
【００１４】
上記課題を解決するために、本発明による植栽仕切り構造物は、
樹木と、該樹木が植栽された植栽マットとが一体的に設けられた植栽マット体と、
前記植栽マット体を嵌合する凹部を有する複数の箱状部材と、
地面等の設置面から立設するよう固定され、前記箱状部材を前記設置面から所望の高さ位置に支持する支持部材とを備え、
前記箱状部材は、前記支持部材を介して他の箱状部材と並んで支持される
ことを特徴とするものである。
【００１５】
また、本発明により植栽仕切り構造物は、
前記複数の箱状部材のいくつかは、前記設置面に接触した状態で配置されていることを特徴とするものである。
【００１６】
また、本発明により植栽仕切り構造物は、
前記複数の箱状部材のいくつかは、前記設置面から鉛直方向に複数並んで配置されていることを特徴とするものである。
【発明の効果】
【００１７】
このような本発明の植栽仕切り構造物によれば、
樹木と、該樹木が植栽された植栽マットとが一体的に設けられた植栽マット体と、
前記植栽マット体を嵌合する凹部を有する複数の箱状部材と、
地面等の設置面から立設するよう固定され、前記箱状部材を前記設置面から所望の高さ位置に支持する支持部材とを備え、
前記箱状部材は、前記支持部材を介して他の箱状部材と並んで支持されることにより、
仕切りとしての機能や目隠しをする機能を有すると共に、構造物の形状等の変更の自由度や、植物を配置する位置等の自由度の幅を広げ、また、樹木を容易に交換することができることにより景観の向上を図ることができる。
【図面の簡単な説明】
【００１８】
【図１】本発明の第１の実施の形態に係る植栽仕切り構造物２０を示す正面図である。
【図２】図１に示す植栽仕切り構造物２０の上面図である。
【図３】図１に示す植栽マット体３０，３２を示す斜視図である。
【図４】図４（ａ）は図３に示す植栽マット２６，２８の上面図であり、図４（ｂ）はその正面断面図である。
【図５】図５（ａ）は図１に示す箱状部材３６の上面図であり、図５（ｂ）は図５（ａ）に示す箱状部材３６のＢ―Ｂ線断面図である。
【図６】本発明の第２の実施の形態に係る植栽仕切り構造物６０を示す正面図である。
【図７】図６に示す植栽仕切り構造物６０を建物７０，７２間に設置した際の側面概念図である。
【図８】本発明の第３の実施の形態に係る植栽仕切り構造物８０を示す正面図である。
【図９】図８に示す植栽仕切り構造物８０を構造物９０近傍に設置した際の上面概念図である。
【図１０】本発明の第４の実施の形態に係る植栽仕切り構造物１００を示す正面図である。
【図１１】図１０に示す植栽仕切り構造物１００を建物１１０，１１２間に設置した際の上面概念図である。
【図１２】従来の植栽塀１を示す斜視図である。
【発明を実施するための形態】
【００１９】
以下、本発明に係る植栽仕切り構造物を実施するための形態について、図面に基づいて具体的に説明する。
【００２０】
図１から図５は、本発明の第１の実施の形態に係る植栽仕切り構造物２０について説明するために参照する図である。
【００２１】
図１に示すように、本発明の第１の実施の形態に係る植栽仕切り構造物２０は、樹木２２と植栽マット２６により一体的に構成された植栽マット体３０と、樹木２４と植栽マット２８により一体的に構成された植栽マット体３２と、複数の箱状部材３４，３６と、複数の支持部材３８により構成されている。
【００２２】
そして、箱状部材３４，３６は、設置地面２１（設置面）に立設する支持部材３８により支持され、その支持部材３８を介して、他の箱状部材３４，３６に連結するようになっている。
【００２３】
すなわち、図２に示すように、植栽仕切り構造物２０を上方から見ると、箱状部材３４，３６と支持部材３８は、それらの側面３４ａ，３６ａ，３８ａの一つが互いに直線状に連続するように、互いに組み合わされて配置されている。
【００２４】
このため、植栽仕切り構造物２０は、設置地面２１を領域Ａ（図２中右下部分）と、領域Ｂ（図２中上部分及び左部分）に区分することができるようになっている。
【００２５】
この植栽仕切り構造物２０の植栽マット体３０は、図３に示すように、地中に根を張り、生長する常緑中木である樹木２２と、樹木２２を植栽可能とする層状に形成された植栽マット２６により構成されている。
【００２６】
図３に示すように、樹木２２は、その移動や植え換えに備えて予め、その根２２ａが略球状に丸めて形成されており、その略球状の根２２ａが、植栽マット２６の中央部に形成された部屋２６ａの中に収納されている。
【００２７】
そして、樹木２２の略球状の根２２ａが収納された植栽マット２６中の部屋２６ａの内周面と、根２２ａの略球状の外周面との間の空間には、ピートモス４２などの軽量の土が、植栽マット２６の上面２６ｂと同程度の高さ位置に達するまで充填されている。
【００２８】
この植栽マット２６は、プラスチック繊維が３次元に密に絡み合わされて形成され、その空隙に、ピートモス４２が充填され、図３及び図４（ｂ）に示すように、その外形が全体として略矩形の板状になるよう形成された不織布マット４４が、６枚重ね合わされて層状に形成されている。
【００２９】
そして、不織布マット４４の最下層とその真上の層との間には、水の移動を可能としつつ、根２２ａが伸びて張られる範囲を制限することができる、透水防根シート４８が挟まれて設けられている。
【００３０】
この透水防根シート４８の上面４８ａと、その上の４つの不織布マット４４の層に形成された、板厚方向に貫通する貫通孔４４ｂの内周面と、後述する最上層の不織布マット４４の下面とその半円状の切欠き４４ａが、全体として部屋２６ａを構成するようになっている。
【００３１】
植栽マット２６の最上層の不織布マット４４は、図３及び図４（ａ）に示すように、半分ずつ２枚に分割されており、この２枚の不織布マット４４の互いの突合せ部には、半円状の切欠き４４ａがそれぞれ形成されている。
【００３２】
２枚の不織布マット４４それぞれの突合せ部を互いに突き合わせたときに、それぞれの半円状の切欠き４４ａが互いに対応する位置に合わされることにより、樹木２２の略球状の根２２ａの外径よりもその径寸法が小さいと共に、樹木２２の幹２２ｂを緩く貫通させることができる径寸法の貫通孔が形成されるようになっている。
【００３３】
すなわち、樹木２２の略球状の根２２ａを植栽マット２６の部屋２６ａ内に入れた後に、２枚に分割された最上層の不織布マット４４が互いに突き合わされ、２つの半円状の切欠き４４ａが互いに対応する位置に合わされることにより、１つの円形状の貫通孔が形成されるようになっている。
【００３４】
図３、４に示す複数の不織布マット４４は、互いに固定されるようになっているため、樹木２２の略球状の根２２ａの外径は、最上層の２つの不織布マット４４の半円状の切欠き４４ａが互いに対応する位置に合わされて形成された貫通孔より径が大きいので、樹木２２の根２２ａは、最上層の２つの不織布マット４４に形成された貫通孔から抜けないようになり、樹木２２は植栽マット２６と一体的に固定されるようになっている。
【００３５】
植栽仕切り構造物２０の植栽マット体３２は、その構成が、植栽マット体３０の構成とは、植栽マット２８の外形寸法が植栽マット２６の外形寸法より小さく形成されている点においてのみ異なるものであり、それ以外は、植栽マット体３０と同様の構成となっている。
【００３６】
すなわち、植栽マット体３２は、図３に示すように、地中に根を張り、生長する常緑中木（低木と高木の間の中位の高さの樹木）である樹木２４と、樹木２４を植栽可能とする層状に形成された植栽マット２８により構成されている。
【００３７】
図３に示すように、樹木２４は、その移動や植え換えに備えて予め、その根２４ａが略球状に丸めて形成されており、その略球状の根２４ａが、植栽マット２８の中央部に形成された部屋２８ａの中に収納されている。
【００３８】
そして、樹木２４の略球状の根２４ａが収納された植栽マット２８中の部屋２８ａの内周面と、根２４ａの略球状の外周面との間の空間には、ピートモス４２などの軽量の土が、植栽マット２８の上面２８ｂと同程度の高さ位置に達するまで充填されている。
【００３９】
この植栽マット２８は、プラスチック繊維が３次元に密に絡み合わされ形成され、その空隙に、ピートモス４２が充填され、図３及び図４（ｂ）に示すように、その外形が全体として、その外形寸法が植栽マット２６の外形寸法より小さい、略矩形の板状になるよう形成された不織布マット４６が、６枚重ね合わされて層状に形成されている。
【００４０】
そして、不織布マット４６の最下層とその真上の層との間には、水の移動を可能としつつ、根２４ａが伸びて張られる範囲を制限することができる、透水防根シート４８が挟まれて設けられている。
【００４１】
この透水防根シート４８の上面４８ａと、その上の４つの不織布マット４６の層に形成された、板厚方向に貫通する貫通孔４６ｂの内周面と、後述する最上層の不織布マット４６の下面とその半円状の切欠き４６ａが、全体として部屋２８ａを構成するようになっている。
【００４２】
植栽マット２８の最上層の不織布マット４６は、図３及び図４（ａ）に示すように、半分ずつ２枚に分割されており、この２枚の不織布マット４６の互いの突合せ部には、半円状の切欠き４６ａがそれぞれ形成されている。
【００４３】
２枚の不織布マット４６それぞれの突合せ部を互いに突き合わせたときに、それぞれの半円状の切欠き４６ａが互いに対応する位置に合わされることにより、樹木２４の略球状の根２４ａの外径よりもその径寸法が小さいと共に、樹木２４の幹２４ｂを緩く貫通させることができる径寸法の貫通孔が形成されるようになっている。
【００４４】
すなわち、樹木２４の略球状の根２４ａを植栽マット２８の部屋２８ａ内に入れた後に、２枚に分割された最上層の不織布マット４６が互いに突き合わされ、２つの半円状の切欠き４６ａが互いに対応する位置に合わされることにより、１つの円形状の貫通孔が形成される。
【００４５】
図３、４に示す複数の不織布マット４６は、互いに固定されるようになっているため、樹木２４の略球状の根２４ａの外径は、最上層の２つの不織布マット４６の半円状の切欠き４６ａが互いに対応する位置に合わされて形成された貫通孔より径が大きいので、樹木２４の根２４ａは、最上層の２つの不織布マット４６に形成された貫通孔から抜けないようになり、樹木２４は植栽マット２８と一体的に固定されるようになっている。
【００４６】
このように樹木２２，２４は、植栽マット２６，２８と一体的に設けられているため、樹木２２，２４を取り付け、取り外しや交換などをしたいときは、植栽マット体３０，３２ごと作業を行うことができるため、その作業を容易にすることができる。
【００４７】
また植栽マット体３０，３２は、植栽マット２６，２８を用いることにより、通常の土に樹木２２，２４を植栽する場合と比べて、その重量を軽くすることができると共に、その植栽マット２６，２８の高さ寸法を小さくすることができる。
【００４８】
これにより植栽マット体３０，３２は、持ち運び易く、取り付け、取り外しや交換などの作業を容易にすることができる。また、これにより後述する箱状部材３４，３６の高さ寸法も植栽マット体３０，３２の植栽マット２６，２８に合わせて小さくすることができる。
【００４９】
植栽仕切り構造物２０の箱状部材３４は、金属製であり、図１及び図２に示すように、直方体に形成されている。そして、箱状部材３４の上面３４ｂから深さを有する凹部３４ｃが形成されており、植栽マット体３０の植栽マット２６がその内部に押し込まれ、互いに嵌合するようになっている。
【００５０】
植栽仕切り構造物２０の箱状部材３６は、金属製であり、図１，図２，図５（ａ）及び（ｂ）に示すように、その四隅に、後述する支持部材３８の断面と同じ大きさの切り欠き部３６ｄを有する多面体に形成されている。そして、箱状部材３６の上面３６ｂから深さを有する凹部３６ｃが形成されており、植栽マット体３２の植栽マット２８がその内部に押し込まれ、互いに嵌合するようになっている。
【００５１】
植栽仕切り構造物２０の支持部材３８は、図１に示すように、金属製で上下方向に長さを有する角柱状に形成されており、その下端部３８ｂは設置地面２１の地中に埋め込まれて堅く固定され、その上端部３８ｃは設置地面２１から突き出して鉛直方向に立設している。
【００５２】
そして、箱状部材３４は、図２に示すように、その四隅部の、その長さ方向の端面それぞれに、計４つの支持部材３８の一つの側面が各々接触しており、その接触した部分の周囲を溶接することにより、箱状部材３４は設置地面２１から鉛直方向の所望の高さ位置に配置され、支持部材３８に固定されるようになっている。
【００５３】
箱状部材３６は、その四隅の切り欠き部３６ｄの互いに隣合う２つの面に、支持部材３８の互いに隣合う２つの側面が接触しており、その接触した部分の周囲を溶接することにより、箱状部材３６は設置地面２１から鉛直方向の所望の高さ位置に配置され、支持部材３８に固定されるようになっている。
【００５４】
このため、植栽マット体３０，３２の樹木２２，２４は、箱状部材３４，３６と支持部材３８により、それぞれ設置地面２１から鉛直方向の所望の高さ位置に配置することができるようになっている。
【００５５】
このため、樹木２２，２４は、図２に示す領域Ａ又は領域Ｂの一方から他方を見ようとする際に、植栽仕切り構造物２０の仕切りの一部としてその視界を遮ることにより、目隠しの機能を発揮することができるようになっている。
【００５６】
また、植栽仕切り構造物２０は、図１に示すように、樹木２２，２４と植栽マット２６，２８により一体的に設けられた植栽マット体３０，３２と、複数の箱状部材３４，３６と、複数の支持部材３８のみにより組み合わされ、構成されているために、植栽仕切り構造物２０の形状等を変更するための自由度の幅が広いものとなっている。
【００５７】
このような本発明の第１の実施の形態に係る植栽仕切り構造物２０によれば、仕切りとしての機能や目隠しをする機能を有すると共に、構造物２０の形状等の変更の自由度や、植物が配置される位置等の自由度の幅を広げ、また、樹木２２，２４を容易に交換することができることにより景観の向上を図ることができる。
【００５８】
図６及び図７は、本発明の第２の実施の形態に係る植栽仕切り構造物６０について説明するために参照する図である。
【００５９】
図６に示すように、本発明の第２の実施の形態に係る植栽仕切り構造物６０は、樹木２２と植栽マット２６とが一体的に設けられた植栽マット体３０と、複数の箱状部材３４と、金属製で長さを有する角柱状に形成された複数の支持部材６２により構成されている。
【００６０】
そして、支持部材６２と、支持部材６２間に支持された箱状部材３４により、その側面３４ａ、６２ａの一つが直線状になるよう組み合わされて、水平方向に連続して配置されている。
【００６１】
このため、図７に示すように、本実施の形態に係る植栽仕切り構造物６０は、図中紙面奥側に長さを有する壁状に形成されており、植栽仕切り構造物６０が設置されている設置地面６１（設置面）の周辺領域を、建物７０が設置されている側の領域Ｃと、建物７２が設置されている領域側のＤとの、２つの領域に区分することができるようになっている。
【００６２】
植栽仕切り構造物６０の支持部材６２は、図６に示すように、金属製で長さを有する角柱状に形成されており、いくつかの支持部材６２は、その下端部６２ｂが設置地面６１の地中に埋め込まれて堅く固定され、その上端部６２ｃは設置地面６１から突き出して鉛直方向に立設している。
【００６３】
これらの支持部材６２は、その上端部６２ｃと、別の支持部材６２の下端部６２ｂの、互いの端面同士を接触させて、その接触面の周面を溶接により接合することにより、互いの長さ方向に連結されている。このため、支持部材６２は、その長さを上方に延長することができるようになっている。
【００６４】
本実施の形態に係る植栽仕切り構造物６０においては、箱状部材３４はその鉛直方向（図６中上下方向）に間隔をおいて互いに離れて、複数並んで配置されている。また、箱状部材３４のいくつかは、その底面３４ｄが設置地面６１に接触した状態で支持部材６２に支持されて固定されている。
【００６５】
このような支持部材６２によって、植栽マット２６が嵌合している箱状部材３４を、それぞれ所望の高さ位置に配置することができるため、図７に示すように、建物７０，７２の互いに対向する各階の高さ位置に樹木２２を配置して、一つの植栽仕切り構造物６０だけで建物７０，７２の各階ごとにおける互いの目隠しをすることができる。
【００６６】
また、植栽仕切り構造物６０は、図６に示すように、樹木２２と植栽マット２６により一体的に設けられた植栽マット体３０と、複数の箱状部材３４と、複数の支持部材６２のみにより組み合わされ、構成されているために、植栽仕切り構造物６０の形状等を変更するための自由度の幅が広いものとなっている。
【００６７】
このような本発明の第２の実施の形態に係る植栽仕切り構造物６０によっても、第１の実施の形態に係る植栽仕切り構造物２０と同様の効果を得ることができ、仕切りとしての機能や目隠しをする機能を有すると共に、構造物６０の形状等の変更の自由度や、植物が配置される位置等の自由度の幅を広げ、また、樹木２２を容易に交換することができることにより景観の向上を図ることができる。
【００６８】
さらに、本発明の第２の実施の形態に係る植栽仕切り構造物６０においては、互いに対向する建物７０，７２の間に、一つの植栽仕切り構造物６０を設置するだけで、建物７０，７２の各階ごとにおける互いの目隠しをすることができる。
【００６９】
図８及び図９は、本発明の第３の実施の形態に係る植栽仕切り構造物８０について説明するために参照する図である。
【００７０】
図８に示すように、本発明の第３の実施の形態に係る植栽仕切り構造物８０は、樹木２２と植栽マット２６とが一体的に設けられた植栽マット体３０と、複数の箱状部材８２と、金属製で長さを有する角柱状に形成された複数の支持部材３８により構成されている。
【００７１】
図９に示すように、支持部材３８と、支持部材３８間に支持された箱状部材８２により、その側面３８ａ、８２ａの一つが直線状になるよう組み合わされて、水平方向に連続して配置されている。
【００７２】
そして、図９に示すように、本実施の形態に係る植栽仕切り構造物８０は、図中紙面に対して垂直方向に高さを有する壁状に形成されており、一つの直線状になる支持部材３８の側面３８ａと箱状部材８２の側面８２ａとが、例えば立体駐車場のような構造物９０の近傍に、その側面９０ａに沿うように配置されている。
【００７３】
このため植栽仕切り構造物８０は、それが設置されている設置地面８１（設置面）の周辺領域を、構造物９０が設置されている側の領域Ｅと、植栽仕切り構造物８０を挟んで領域Ｅとは反対側の、構造物９０が設置されていない側の領域Ｆとの、２つの領域に区分することができるようになっている。
【００７４】
植栽仕切り構造物８０の箱状部材８２は、金属製であり、図８及び図９に示すように、直方体に形成されている。そして、箱状部材８２の上面８２ｂから深さを有する凹部８２ｃが形成されており、複数の植栽マット体３０の植栽マット２６がその内部に並ぶように押し込まれ、複数の植栽マット体３０の植栽マット２６と箱状部材８２は、互いに嵌合するようになっている。
【００７５】
本実施の形態に係る植栽仕切り構造物８０においては、図８に示すように、箱状部材８２はその鉛直方向（図中上下方向）に間隔をおいて互いに離れて、複数並んで配置されている。
【００７６】
また、箱状部材８２は、図９に示すように、その長さ方向の両端面それぞれの、同じ側の側面寄りに、計２つの支持部材３８の一つの側面が各々接触しており、その接触した部分の周囲を溶接することにより、箱状部材８２は設置地面８１から鉛直方向の所望の高さ位置に配置され、支持部材３８に固定されるようになっている。
【００７７】
支持部材３８によって、その凹部８２ｃに複数の植栽マット２６が並んで嵌合している箱状部材８２を、それぞれ所望の高さ位置に配置することができるため、図９に示すように、構造物９０に沿うように植栽仕切り構造物８０を配置するだけで、構造物９０を外部から目隠しすることができる。
【００７８】
また、植栽仕切り構造物８０は、図８に示すように、樹木２２と植栽マット２６により一体的に設けられた植栽マット体３０と、複数の箱状部材８２と、複数の支持部材３８のみにより組み合わされ、構成されているために、植栽仕切り構造物８０の形状等を変更するための自由度の幅が広いものとなっている。
【００７９】
このような本発明の第３の実施の形態に係る植栽仕切り構造物８０によっても、第１の実施の形態に係る植栽仕切り構造物２０と同様の効果を得ることができ、仕切りとしての機能や目隠しをする機能を有すると共に、構造物８０の形状等の変更の自由度や、植物が配置される位置等の自由度の幅を広げ、また、樹木２２を容易に交換することができることにより景観の向上を図ることができる。
【００８０】
さらに、本発明の第３の実施の形態に係る植栽仕切り構造物８０においては、構造物９０に沿うように植栽仕切り構造物８０を配置するだけで、構造物９０を外部から目隠しすることができる。
【００８１】
図１０及び図１１は、本発明の第４の実施の形態に係る植栽仕切り構造物１００について説明するために参照する図である。
【００８２】
図１０に示すように、本発明の第４の実施の形態に係る植栽仕切り構造物１００は、樹木２２と植栽マット２６とが一体的に設けられた植栽マット体３０と、曲線に沿って形成され、上記植栽マット２６が嵌合する凹部１０２ｃ，１０４ｃが形成された凹部形成部材１０２，１０４（箱状部材に相当）と、金属製で長さと幅を有する板状に形成された複数の支持部材１０６により構成されている。
【００８３】
そして、図１１に示すように、複数の支持部材１０６それぞれの片面１０６ａに凹部形成部材１０２，１０４の両端面１０２ａ，１０４ａが接触して固定されることにより、支持部材１０６間に支持された凹部形成部材１０２，１０４が、高さ方向においては互い違いに配置され（図１０参照）、長さ方向においては互いに平行に並んで配置されている（図１１参照）。
【００８４】
このため、図１１に示すように、本実施の形態に係る植栽仕切り構造物１００は、図中左右方向に長さを有する略壁状に形成されており、植栽仕切り構造物１００が設置されている設置地面１０１（設置面）の周辺領域を、建物１１０が設置されている側の領域Ｇと、建物１１２が設置されている側の領域Ｈとの、２つの領域に区分することができるようになっている。
【００８５】
植栽仕切り構造物１００の凹部形成部材１０２は、金属製であり、図１０及び図１１に示すように、凹凸曲面を有すると共に四角断面を有し、波状の曲線に沿って形成されている。そして、凹部形成部材１０２の略水平部分における上面１０２ｂから深さを有する凹部１０２ｃが複数形成されており、それぞれに植栽マット体３０の植栽マット２６が収納されて互いに嵌合するようになっている。
【００８６】
植栽仕切り構造物１００の凹部形成部材１０４は、凹部形成部材１０２と同様の構成になっており、やはり金属製で、図１０及び図１１に示すように、凹凸曲面を有すると共に四角断面を有し、波状の曲線に沿って形成されている。そして、凹部形成部材１０４の略水平部分における上面１０４ｂから深さを有する凹部１０４ｃが複数形成されており、それぞれに植栽マット体３０の植栽マット２６が収納されて互いに嵌合するようになっている。
【００８７】
植栽仕切り構造物１００の支持部材１０６は、図１０及び図１１に示すように、上下方向に長さを有し、その下端部１０６ｂは設置地面１０１の地中に埋め込まれて堅く固定され、その上端部１０６ｃは設置地面１０１から上方に突き出して鉛直方向に立設している。
【００８８】
また、凹部形成部材１０２，１０４は、図１０に示すように、その長さ方向の端面１０２ａ，１０４ａそれぞれに、２つの支持部材１０６の片面１０６ａが各々接触しており、その接触した部分の周囲を溶接することにより、一対の支持部材１０６間に固定されるようになっている。
【００８９】
凹部形成部材１０２，１０４は、その長さ方向の各部が設置地面１０１からの鉛直方向の高さ位置が変化するように形成され、それらの凹部１０２ｃ，１０４ｃは、設置地面１０１から適切な高さ位置に配置されるようになっている。
【００９０】
支持部材１０６によって、複数の植栽マット２６が嵌合している凹部形成部材１０２，１０４の凹部１０２ｃ，１０４ｃを、それぞれ所望の高さ位置に配置することができるため、図１１に示すように、建物１１０，１１２に住む人の目の高さ位置に樹木２２を配置して、一つの植栽仕切り構造物１００だけで建物１１０，１１２間の互いの目隠しをすることができる。
【００９１】
また、植栽仕切り構造物１００は、図１０に示すように、樹木２２と植栽マット２６により一体的に設けられた植栽マット体３０と、複数の凹部形成部材１０２，１０４と、複数の支持部材１０６のみにより組み合わされ、構成されているために、植栽仕切り構造物１００の形状等を変更するための自由度の幅が広いものとなっている。
【００９２】
このような本発明の第４の実施の形態に係る植栽仕切り構造物１００によっても、第１の実施の形態に係る植栽仕切り構造物２０と同様の効果を得ることができ、仕切りとしての機能や目隠しをする機能を有すると共に、構造物１００の形状等の変更の自由度や、植物が配置される位置等の自由度の幅を広げ、また、樹木２２を容易に交換することができることにより景観の向上を図ることができる。
【００９３】
なお、前記第１ないし第４の実施の形態に係る植栽仕切り構造物２０，６０，８０，１００においては、樹木２２，２４は常緑中木であったが、樹木２２，２４はこれに限定されるものではない。
【００９４】
例えば、落葉樹であってもよく、低木や高木であってもよい。また、これらを組み合わせてもよい。また、樹木２２，２４が目隠し機能を有する必要がない箇所には、草花・ツタ植物やその他野菜類等を用いるようになっていてもよい。
【００９５】
また、前記第１ないし第４の実施の形態に係る植栽仕切り構造物２０，６０，８０，１００においては、植栽マット２６，２８は、不織布マットが重ね合わされ層状に形成されていたが、植物を植栽可能となっており、かつピートモス４２を用いる等軽量なもの、かつ植栽マットの高さ寸法を小さくすることができるものであればどのようなものであってもよい。
【００９６】
また、前記第１ないし第４の実施の形態に係る植栽仕切り構造物２０，６０，８０，１００においては、箱状部材３４，３６，８２、凹部形成部材１０２，１０４及び支持部材３８，６２，１０６は金属製で、互いに溶接により固定されるようになっていたが、互いに固定されるようになっていれば、金属製でなく木造等の他の材料を用いてもよく、また、溶接により固定されていなくても、ビスやボルト・ナット等の他の手段により固定されていてもよい。
【００９７】
また、箱状部材３４，３６，８２、凹部形成部材１０２，１０４及び支持部材３８，６２，１０６は、互いの側面（端面）が接触した状態で固定されるようになっていたが、このような状態のみの固定に限定されるわけではなく、例えば、互いの角が突き合わさった状態で固定されるようになっていてもよい。
【００９８】
また、箱状部材３４，３６，８２、凹部形成部材１０２，１０４及び支持部材３８，６２，１０６は、上記実施の形態の外形にのみ限定されるものではなく、直線状の他に曲線状であってもよい。また、支持部材３８，６２，１０６は、その下端部が設置地面の地中に埋め込まれて固定されるようになっていたが、設置地面に固く固定されるようになっていれば、その下端部が設置地面の地中に埋め込まれるようになっていなくてもよい。
【００９９】
また、設置地面２１，６１，８１，１０１は土が露出したり草等が生えている地面の代わりに、地面上を例えばコンクリートやアスファルト等で固めた、コンクリート面やアスファルト面等、或はアンツーカー等の人工土を用いたものであってもよい。
【０１００】
また、前記第１ないし第３の実施の形態に係る植栽仕切り構造物２０，６０，８０においては、箱状部材及び支持部材の側面の一つが直線状になるよう組み合わされていたが、仕切りとしての機能を発揮する態様になっていれば、必ずしも直線状になっていなくても、曲線状になっていてもよい。
【０１０１】
また、前記第３の実施の形態に係る植栽仕切り構造物８０においては、構造物９０に沿うように配置されていたが、構造物９０に接触するように配置されていてもよい。
【符号の説明】
【０１０２】
１  植栽塀
２  骨組み
４  金網
６  植栽箱付植栽マット体
６ａ  上面
２０  植栽仕切り構造物
２１  設置地面
２２，２４  樹木
２２ａ，２４ａ  根
２２ｂ，２４ｂ  幹
２６，２８  植栽マット
２６ａ，２８ａ  部屋
２６ｂ，２８ｂ  上面
３０，３２  植栽マット体
３４，３６  箱状部材
３４ａ，３６ａ  側面
３４ｂ，３６ｂ  上面
３４ｃ，３６ｃ  凹部
３４ｄ  底面
３６ｄ  切欠き部
３８  支持部材
３８ａ  側面
３８ｂ  下端部
３８ｃ  上端部
４２  ピートモス
４４，４６  不織布マット
４４ａ，４６ａ  切欠き
４４ｂ，４６ｂ  貫通孔
４８  透水防根シート
６０  植栽仕切り構造物
６１  設置地面
６２  支持部材
６２ａ  側面
６２ｂ  下端部
６２ｃ  上端部
７０，７２  建物
８０  植栽仕切り構造物
８１  設置地面
８２  箱状部材
８２ａ  側面
８２ｂ  上面
８２ｃ  凹部
９０  構造物
９０ａ  側面
１００  植栽仕切り構造物
１０１  設置地面
１０２，１０４  凹部形成部材
１０２ａ，１０４ａ  端面
１０２ｂ，１０４ｂ  上面
１０２ｃ，１０４ｃ  凹部
１０６  支持部材
１０６ａ  片面
１０６ｂ  下端部
１０６ｃ  上端部
１１０，１１２  建物
Ａ，Ｂ  領域
Ｃ，Ｄ  領域
Ｅ，Ｆ  領域
Ｇ，Ｈ  領域
【図１】
2012065635.tif 000003
【図２】
2012065635.tif 000004
【図３】
2012065635.tif 000005
【図４】
2012065635.tif 000006
【図５】
2012065635.tif 000007
【図６】
2012065635.tif 000008
【図７】
2012065635.tif 000009
【図８】
2012065635.tif 000010
【図９】
2012065635.tif 000011
【図１０】
2012065635.tif 000012
【図１１】
2012065635.tif 000013
【図１２】
2012065635.tif 000014